(57)【要約】【課題】従来、画像編集を行うためのソフトウェア等が多数存在するが、加工パラメータを設定する等の操作は複雑であり、ユーザにとって使用が難しいという問題があった。また、複雑な処理を行うために多くのハードウェア資源を必要とし、携帯端末のように操作機能やハードウェア資源に制限がある端末装置では、このような画像処理プログラムにて画像編集を行うのは困難であった。【解決手段】オリジナル画像情報を効果付画像情報とするための処理手段を備え、ユーザからの入力に応じて画像情報を選択し、前記選択動作に連動して選択されたオリジナル画像情報を処理手段にて画像処理し、かつ、選択されたオリジナル画像と、選択に連動して画像処理された効果付画像とが同時に表示部に表示されるように制御することを特徴とする画像編集装置を提案する。【選択図】図１
2008288672.tif 000002
【特許請求の範囲】
【請求項１】
オリジナル画像情報を保持する画像情報保持部と、
オリジナル画像情報を効果付画像情報とするための処理手段を備えた処理手段保持部と、
ユーザからの入力に応じて画像情報を選択するための画像情報選択部と、
制御部と、
表示部と、
を有し、
制御部は、各部を制御するとともに、
前記選択動作に連動して選択されたオリジナル画像情報を処理手段に画像処理させ、かつ、選択されたオリジナル画像情報に基づく画像と、選択に連動して画像処理された効果付画像情報に基づく画像とが同時に表示部に表示されるように制御する第一制御手段を有する画像編集装置。
【請求項２】
処理手段が複数備えられている場合には、表示部に表示すべき効果付画像情報に基づく画像を選択するための画像処理選択部をさらに有する請求項１に記載の画像編集装置。
【請求項３】
制御部は、
画像情報選択部にて表示部に表示されている効果付画像の画像情報が選択された場合には選択された効果付画像情報をオリジナル画像情報として画像情報保持部に保持させるように制御する第二制御手段を有する請求項１又は２に記載の画像編集装置。
【請求項４】
表示部は、選択されたオリジナル画像情報に基づく画像を比較的大きく、効果付画像情報に基づく画像をオリジナル画像の周辺に配置して比較的小さく表示するとのレイアウト情報に基づいてレイアウトをするレイアウト手段を有する請求項１から３のいずれか一に記載の画像編集装置。
【請求項５】
表示部は、レイアウト情報をユーザ入力に応じて変更するためのレイアウト変更手段をさらに有する請求項４に記載の画像編集装置。
【請求項６】
処理手段保持部に新たな処理手段を追加するための処理手段追加部をさらに有する請求項１から５のいずれか一に記載の画像編集装置。
【請求項７】
処理手段保持部は、各処理手段に優先度を関連付けて保持する優先度付保持手段を有し、
画像処理選択部は、表示すべき効果付画像情報に基づく画像を前記優先度に応じて選択する優先選択手段を有する
請求項２から６のいずれか一に記載の画像編集装置のうち、請求項２に係る画像編集装置。
【請求項８】
表示部は、効果付画像情報に基づく画像の配置を前記優先度に応じて決定する優先レイアウト手段をさらに有する請求項７に記載の画像編集装置。
【請求項９】
ユーザからの入力に応じて画像情報を選択する画像情報選択ステップと、
前記選択動作に連動して選択されたオリジナル画像情報を効果付画像情報とするための画像処理を実行する処理ステップと、
選択されたオリジナル画像情報に基づく画像と、選択に連動して画像処理された効果付画像情報に基づく画像とを同時に表示部に表示する表示ステップと、
を有する画像編集方法。
【発明の詳細な説明】
【技術分野】
【０００１】
画像編集において、簡単な操作のみでオリジナル画像に対して画像処理を施した効果付画像を取得することが可能な画像編集装置に関する。
【背景技術】
【０００２】
従来、画像編集を行うためのソフトウェアが多数存在し、パーソナルコンピュータや画像処理専用装置等において画像編集を行うことができるが、これらのソフトウェアは多機能であって、色補正、明るさ補正、ソフトフォーカス処理などの様々な画像処理を行うことができるものが多い。一般的にこれらの画像処理を行う際は、各加工パラメータを設定したり、複数の処理メニューを選択したりすることによって画像処理が実行されるようになっている（例えば、特許文献１）。
【特許文献１】特開平１１−２９７０４４号公報
【発明の開示】
【発明が解決しようとする課題】
【０００３】
しかしながら、従来のような画像編集方法においては、その操作が複雑であり画像処理に熟練したユーザでなければ使用が難しいという問題があった。また、複雑な処理を行うために多くのハードウェア資源を必要とし、高い処理能力も要求されるものであった。このため、例えば携帯端末のように操作機能やハードウェア資源に制限がある端末装置においては、このような画像処理プログラムを実行して画像編集を行うのは困難であった。
【課題を解決するための手段】
【０００４】
そこで本発明においては、オリジナル画像情報を効果付画像情報とするための処理手段を備え、ユーザからの入力に応じて画像情報を選択し、前記選択動作に連動して選択されたオリジナル画像情報を処理手段にて画像処理し、かつ、選択されたオリジナル画像情報に基づく画像と、選択に連動して画像処理された効果付画像情報に基づく画像とが同時に表示部に表示されるように制御することを特徴とする画像編集装置を提案する。また、処理手段が複数備えられている場合には、表示部に表示すべき効果付画像情報に基づく画像を選択することができるようになっていてもよい。また、表示部に表示されている効果付画像の画像情報が選択された場合には選択された効果付画像情報をオリジナル画像情報として保持するようになっていてもよい。また、表示部は、選択されたオリジナル画像情報に基づく画像を比較的大きく、効果付画像情報に基づく画像をオリジナル画像の周辺に配置して比較的小さく表示するとのレイアウト情報に基づいてレイアウトを行うようになっていてもよい。また、表示部は、レイアウト情報をユーザ入力に応じて変更することができるようになっていてもよい。また、画像編集装置に新たな処理手段を追加することができるようになっていてもよい。また、各処理手段に優先度を関連付けて保持し、表示部に表示すべき効果付画像情報に基づく画像を選択する際に前記優先度に応じて選択するようになっていてもよい。さらに、表示部は効果付画像情報に基づく画像の配置を前記優先度に応じて決定するようになっていてもよい。
【０００５】
図１は、本発明に係る画像編集装置の概要図である。画像編集装置においては、通常、画像処理を施すべきオリジナル画像を複数保持している。図１（ａ）は、ディスプレイ等の表示部（０１０１）にて画像編集装置が保持している複数のオリジナル画像（０１０２ａ、０１０２ｂ、０１０２ｃ）を表示することにより、ユーザに画像処理を施すべきオリジナル画像を選択させる画面である。ここで、ユーザがオリジナル画像０１０２ｂを選択したとすると、画像編集装置の内部においては、ユーザの選択動作をトリガーとして選択されたオリジナル画像０１０２ｂに画像処理を施して効果付画像とするための処理が自動的に実行される。オリジナル画像に対して実行される画像処理は複数種類あってもよく、その場合には複数の効果付画像が生成されることになる。画像処理が実行され効果付画像が生成されると、図１（ｂ）に示すように、ユーザに選択されたオリジナル画像０１０２ｂと生成された効果付画像０１０３、０１０４、０１０５、０１０６、０１０７が同時に表示部（０１０１）に表示される。すなわち、本発明の画像編集装置における特徴は、オリジナル画像が選択される動作に連動して、自動的に効果付画像が生成されてユーザに提示されることにある。また、さらにユーザが表示された複数の効果付画像のうちの一つを選択することにより、選択された効果付画像がオリジナル画像０１０２ｂと置き換わって表示されるようになっていたり、選択された効果付画像をユーザの任意の記録装置に記録することができるようになっていてもよい。このような画像編集装置により、ユーザは自分自身で画像処理のための加工パラメータ等の設定を行わずとも簡単に画像処理された効果付画像を取得することができる。
【発明の効果】
【０００６】
本発明の画像編集装置によれば、ユーザは画像処理を行うために従来のように加工パラメータ等の設定を行わずとも、簡単に効果付画像を取得することができる。特に、画像編集に不慣れなユーザにとっては非常に便利である。また、携帯端末のように操作機能やハードウェア資源に制限がある端末装置においては、複雑な操作も不要であり、複雑な画像処理も不要であるので、特に有効である。
【発明を実施するための最良の形態】
【０００７】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、９などについて説明する。実施形態２は、主に請求項２などについて説明する。実施形態３は、主に請求項３などについて説明する。実施形態４は、主に請求項４などについて説明する。実施形態５は、主に請求項５などについて説明する。実施形態６は、主に請求項６などについて説明する。実施形態７は、主に請求項７などについて説明する。実施形態８は、主に請求項８などについて説明する。
（実施形態１）
【０００８】
（実施形態１：概要）本実施形態は、オリジナル画像情報を効果付画像情報とするための処理手段を備え、ユーザからの入力に応じて画像情報を選択し、前記選択動作に連動して選択されたオリジナル画像情報を処理手段にて画像処理し、かつ、選択されたオリジナル画像情報に基づく画像と、選択に連動して画像処理された効果付画像情報に基づく画像とが同時に表示部に表示されるように制御することを特徴とする画像編集装置について説明する。
【０００９】
（実施形態１：構成）本実施形態に係る画像編集装置の機能ブロック図を図２に例示する。画像編集装置（０２００）は、「画像情報保持部」（０２０１）と、「処理手段保持部」（０２０２）と、「画像情報選択部」（０２０３）と、「制御部」（０２０４）と、「表示部」（０２０５）と、を有する。また、処理手段保持部（０２０２）は、「処理手段」（０２０６ａ、０２０６ｂ、０２０６ｃ）を有する。また、制御部（０２０４）は、「第一制御手段」（０２０７）を有する。
【００１０】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００１１】
「画像情報保持部」（０２０１）は、オリジナル画像情報を保持する。「画像情報」とは、画像を構成する画像データを意味し、「オリジナル画像情報」とは、画像加工を施す対象であるオリジナル画像（元画像）を構成する画像データを指す。また、画像情報保持部は、図３に例示するようなオリジナル画像を管理するための情報を保持していることが想定される。図３の情報において、「ＩＤ」は各レコードに自動的に付与されるシリアル番号であり、「画像ＩＤ」はオリジナル画像を識別するためのＩＤであり、「ファイル名」は画像情報そのものである画像ファイルのファイル名である。すなわち、画像情報保持部は、例えばオリジナル画像情報に該当する画像ファイルそのものと共に図３に例示するような情報をハードディスク等や半導体メモリ等の記憶装置に保持している。
【００１２】
「処理手段保持部」（０２０２）は、オリジナル画像情報を効果付画像情報とするための「処理手段」（０２０６ａ、０２０６ｂ、０２０６ｃ）を備える。「効果付画像」とは、オリジナル画像に画像処理を施すことで生成される加工済み画像をさし、「効果付画像情報」とは、効果付画像を構成する画像データを指す。すなわち、「処理手段」とは画像処理を行うための処理機構が該当し、画像処理プログラム等が含まれる。また、処理手段は一つのみであってもよいが複数存在してもよく、すなわちオリジナル画像情報に対して複数種類の画像処理を施すことができるようになっていてもよい。
【００１３】
図４は、処理手段保持部の具体例を示す。画像情報保持部（０４０１）には複数のオリジナル画像（０４０３ａ、０４０３ｂ、０４０３ｃ）が保持されており、処理手段として５つの処理手段（０４０２ａ、０４０２ｂ、０４０２ｃ、０４０２ｄ、０４０２ｅ）が存在するとする。ここで、例えばオリジナル画像０４０３ｂが画像処理を施す画像として選択されたとする（ここでは詳述しないが、後述する画像情報選択部において選択される）と、選択されたオリジナル画像０４０３ｂは、色反転処理プログラム０４０２ａにおいては色反転処理が施され、ソフトフォーカス処理プログラム０４０２ｂにおいてはソフトフォーカス処理が施され、強調処理プログラム０４０２ｃでは強調処理が施され、アウトライン処理プログラム０４０２ｄにおいてはアウトライン処理が施され、明度変更プログラム０４０２ｅにおいては明度変更処理が施されることとなる。なお、これらの画像処理はユーザ等の指示を必要とせず自動的に実行されるものである。また、処理手段保持部（０４０４）は、このような一以上の処理手段（０４０２ａ、０４０２ｂ、０４０２ｃ、０４０２ｄ、０４０２ｅ）を含む概念である。
【００１４】
「画像情報選択部」（０２０３）は、ユーザからの入力に応じて画像情報を選択するための機能を有する。「画像情報」とは、オリジナル画像情報または効果付画像情報を指す。「ユーザからの入力に応じて画像情報を選択する」とは、具体的には、ユーザが操作したキーボードやマウス等のユーザインタフェースを介して取得される入力信号によって、ユーザが選択した一のオリジナル画像情報または効果付画像情報が特定される、ということである。また、ユーザからの入力は、キーボードやマウス以外にも、例えば表示部（０２０５）がタッチパネルになっており、ユーザがタッチパネルに触れることにより取得されるようになっている場合等が考えられる。また、「選択するための」とは、画像情報を選択する処理のみならず、最終的に画像情報を選択するために必要な様々な処理を実行することを表している。
【００１５】
図５は、画像情報選択部の具体例を示す。図５は、ディスプレイ（０５００）に保持しているオリジナル画像（０５０１ａ、０５０１ｂ、０５０１ｃ）が表示され、ユーザは選択枠０５０２を左右矢印キー等により操作することによっていずれかのオリジナル画像に選択枠０５０２を合わせ、選択ボタン０５０３をクリック等することにより、画像処理を施すべきオリジナル画像を選択することができる。また、後述するようにオリジナル画像が効果付画像とともに表示部に表示された場合に表示された効果付画像のうちのいずれかを選択することも画像情報選択部の処理である。
【００１６】
「制御部」（０２０４）は、各部を制御するとともに、前記選択動作に連動して選択されたオリジナル画像情報を処理手段に画像処理させ、かつ、選択されたオリジナル画像情報に基づく画像と、選択に連動して画像処理された効果付画像情報に基づく画像とが同時に表示部に表示されるように制御する。「各部」とは、制御部以外の部（手段を含む）（構成要件）を指す。なお、本実施形態にて説明する部のみならず、後述する各実施形態にて説明する部も制御する。また、「前記選択動作」とは、画像情報選択部（０２０３）における選択を指す。「前記選択動作に連動して」とは、例えば図５に例示したような画面においてユーザが一のオリジナル画像を選択すると、その選択処理をトリガーとして、という意味である。つまり、ユーザにとってはオリジナル画像を選択するという操作だけで、図４にて説明したように選択したオリジナル画像が自動的に画像処理され、オリジナル画像と効果付画像が同時に表示部に表示されることになる。また、「選択されたオリジナル画像情報に基づく画像」とは、オリジナル画像情報によって構成されるオリジナル画像を指し、「効果付画像情報に基づく画像」とは、効果付画像情報によって構成される効果付画像を指す。また、「選択されたオリジナル画像情報に基づく画像と、選択に連動して画像処理された効果付画像情報に基づく画像とが同時に表示部に表示される」とは、例えば、図１（ｂ）に例示したようにオリジナル画像と効果付画像が一の画面上に表示されることを意味する。ただし、図１（ｂ）における表示方法はあくまで一例であり、他にも様々な表示方法が考えられる。また、「同時に表示部に表示される」とは、オリジナル画像とすべての効果付画像が全て同時に表示部に表示される場合のみならず、例えば効果付画像が複数ある場合に、それらをスライドショーのように順次表示するような場合も含む趣旨である。また、オリジナル画像と効果付画像が同時に表示されることによって、ユーザはオリジナル画像と各種の効果付画像を比較しながら、画像処理の効果を確かめることができるという利点がある。
【００１７】
図６は、制御部における制御について説明する図である。画像情報保持部（０６０１）において、複数のオリジナル画像情報（０６０２ａ、０６０２ｂ、０６０２ｃ）が保持されているとする。これらのオリジナル画像情報のうち、図５に例示したような選択画面を介してオリジナル画像０６０２ａが選択されたとすると、図４にて説明したように内部的にオリジナル画像に対して画像処理が施され、図６（ａ）に示すようにオリジナル画像と効果付画像が同時にディスプレイ等に表示される（０６０３ａ）。また、オリジナル画像０６０２ｂが選択されたとすると、同様に画像処理が実行され、図６（ｂ）に示すような表示となる（０６０３ｂ）。また、オリジナル画像０６０２ｃが選択されたとすると、同様に図６（ｃ）に例示するような表示となる（０６０３ｃ）。
【００１８】
「表示部」（０２０５）は、ディスプレイ等を含み、オリジナル画像や効果付画像などを表示する役目を果たす。具体的には、例えばＶＲＡＭ（Ｖｉｄｅｏ  ＲＡＭ）にディスプレイに描画される描画データが生成されて、ディスプレイ等の表示装置に出力される。
【００１９】
（実施形態１：ハードウェア上における処理）図７は、本実施形態に係る画像編集装置のハードウェア上における処理の具体例を示す。まず、ハードディスク（０７０３）には複数のオリジナル画像情報（ＯＲＧ画像情報）が保持されているとする。また、ハードディスクや半導体メモリ等の記憶装置（０７０２）には、各種の画像処理プログラム（色反転処理Ｐ、強調処理Ｐ、明度変更Ｐ、等）が保持されているとする。キーボードやマウス等のユーザインタフェースを介してユーザによる選択信号（０７０１）（オリジナル画像情報を選択する信号）が取得されると、この選択信号により特定されるオリジナル画像がメインメモリに格納される。ここでは、‘ＯＲＧ画像情報１’（０７０４）が選択されたとする。また、‘ＯＲＧ画像情報１’に対して画像処理を実行するために、記憶装置（０７０２）に保持されている各種の画像処理プログラムが順次メインメモリに展開され、各種の効果付画像情報（０７０５）が生成されてメインメモリに格納される。オリジナル画像情報である‘ＯＲＧ画像情報１’と、生成された各種の効果付画像情報（０７０５）に基づいてＶＲＡＭにて描画データ（０７０６）が生成され、ディスプレイに表示される（０７０７）。
【００２０】
なお、図７を用いて説明したハードウェア上の処理はあくまで処理の概要を説明するものである。（明細書の全体を通じて同様である。）
【００２１】
（実施形態１：処理の流れ）図８は、本実施形態に係る画像編集装置における処理の流れを示すフロー図を例示する。
【００２２】
最初に、ユーザからの入力に応じてオリジナル画像情報が選択される（Ｓ０８０１）。次に、ステップＳ０８０１における選択動作に連動して選択されたオリジナル画像情報を効果付画像情報とするための画像処理を実行する（Ｓ０８０２）。表示すべき全ての効果付画像情報を生成したか判断し（Ｓ０８０３）、全て生成していない場合にはステップＳ０８０２に戻る。全て生成した場合にはオリジナル画像と効果付画像を同時に表示部に表示する（Ｓ０８０４）。
【００２３】
なお、図８のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００２４】
（実施形態１：効果）本実施形態に係る画像編集装置によれば、ユーザが画像処理を施すべきオリジナル画像を選択する操作を行うだけで自動的に各種の画像処理が実行されて提示されるため、ユーザは加工パラメータを設定する等の複雑な操作を実行せずに、効果付画像を取得することができる。
（実施形態２）
【００２５】
（実施形態２：概要）本実施形態は、処理手段が複数備えられている場合には、表示部に表示すべき効果付画像情報に基づく画像を選択することが可能な画像編集装置について説明する。
【００２６】
（実施形態２：構成）本実施形態に係る画像編集装置の機能ブロック図を図９に例示する。画像編集装置（０９００）は、「画像情報保持部」（０９０１）と、「処理手段保持部」（０９０２）と、「画像情報選択部」（０９０３）と、「制御部」（０９０４）と、「表示部」（０９０５）と、「画像処理選択部」（０９０８）と、を有する。また、処理手段保持部（０９０２）は、「処理手段」（０９０６ａ、０９０６ｂ、０９０６ｃ）を有する。また、制御部（０９０４）は、「第一制御手段」（０９０７）を有する。「画像処理選択部」（０９０８）以外の構成については前述した通りであるので説明を省略する。
【００２７】
「画像処理選択部」（０９０８）は、処理手段が複数備えられている場合には、表示部に表示すべき効果付画像情報に基づく画像を選択するための機能を有する。すなわち、例えば１０の処理手段が存在するが表示部に表示可能な効果付画像は５つのみである場合には、いずれの効果付画像を表示すべきであるかを選択することができる、ということである。このため、例えば図１０に示すような選択画面が用いられることが想定される。図１０においては、存在する１０の処理手段によって実行可能な処理方法がディスプレイ（１０００）に表示されており、ユーザはチェックボックス（１００１）にチェックを入れることにより、最大で５つの処理を選択することができる。図１０の例であれば、「色反転処理」、「ソフトフォーカス処理」、「強調処理」、「輝度変更」、「モノクロ化」、の５つの処理が選択されており、図１（ｂ）のようにオリジナル画像とともに効果付画像が表示部に表示される際には、これらの５つの処理が施された効果付画像が表示されることになる。また、このような場合、画像処理はすべての処理手段にて実行し表示の際には選択されている５つの効果付画像のみ表示する場合と、画像処理自体も選択されている５つの効果付画像についての処理だけを実行して表示する場合の２通りの方法があり得る。つまり、存在するすべての処理手段によって効果付画像情報が生成された後、生成された複数の効果付画像情報のうち表示部に表示すべき効果付画像情報を選択する場合と、複数の処理手段のなかからいくつかの処理手段を選択し、選択された処理手段のみが効果付画像情報を生成する場合があり得るということである。
【００２８】
また、画像処理選択部は選択されている効果付画像の情報を保持しておくために、図１１のような情報をハードディスクや半導体メモリ等の記憶装置に保持していることが想定される。図１１の情報において、「ＩＤ」は各レコードに自動的に付与されるシリアル番号であり、「処理名」は存在する処理手段において実行する処理を表す処理名称であり、「処理プログラム」は各処理手段において画像処理の際に実行する処理プログラムである。また、「フラグ」は選択されている画像処理を表す情報であり、この情報が‘１’であれば選択されていることを示し、‘０’であれば選択されていないことを示す。
【００２９】
（実施形態２：ハードウェア上における処理）本実施形態に係る画像編集装置のハードウェア上における処理は、図７にて説明した処理と同様である。ただし、図１１のような情報をハードディスクや半導体メモリ等の記憶装置に記憶しており、図１０の画面においてユーザによって入力された入力信号に応じて図１１の「フラグ」の情報を書き換える。また、図７にて説明したようにメインメモリに格納されたオリジナル画像情報に対して画像処理を実行する際には、記憶装置に記憶されている図１１の情報を参照し、「フラグ」の値が‘１’となっている画像処理の処理プログラムをメインメモリに展開して実行し、各種の効果付画像情報を生成する。以後の処理については、図７にて説明した通りである。
【００３０】
（実施形態２：処理の流れ）図１９、図２１は、本実施形態に係る画像編集装置における処理の流れを示すフロー図を例示する。図１９は複数の処理手段の中から効果付画像情報を生成すべき処理手段を選択して選択された処理手段のみにて効果付画像情報を生成する場合のフロー図であり、図２１はすべての処理手段にて効果付画像情報を生成した後に、生成された効果付画像情報の中から表示すべき効果付画像情報を選択して表示する場合のフロー図である。
【００３１】
まず、図１９のフロー図について説明する。最初に、効果付画像情報を生成する処理手段を選択する（Ｓ１９０５）。次に、ユーザからの入力に応じてオリジナル画像情報が選択される（Ｓ１９０１）。次に、ステップＳ１９０１における選択動作に連動して選択されたオリジナル画像情報を効果付画像情報とするための画像処理を実行する（Ｓ１９０２）。選択された全ての処理手段にて効果付画像情報を生成したか判断し（Ｓ１９０３）、全て生成していない場合にはステップＳ１９０２に戻る。全て生成した場合にはオリジナル画像と効果付画像を同時に表示部に表示する（Ｓ１９０４）。なお、ステップＳ１９０５の処理は、ステップＳ１９０１の後に実行される場合もあり得る。
【００３２】
次に、図２１のフロー図について説明する。最初に、ユーザからの入力に応じてオリジナル画像情報が選択される（Ｓ２１０１）。次に、ステップＳ２１０１における選択動作に連動して選択されたオリジナル画像情報を効果付画像情報とするための画像処理を実行する（Ｓ２１０２）。全ての処理手段にて効果付画像情報を生成したか判断し（Ｓ２１０３）、全て生成していない場合にはステップＳ２１０２に戻る。全て生成した場合には生成済みの効果付画像情報から表示部にて表示すべき効果付画像情報を選択する（Ｓ２１０５）。最後に、オリジナル画像と効果付画像を同時に表示部に表示する（Ｓ２１０４）。
【００３３】
（実施形態２：効果）本実施形態に係る画像編集装置によれば、複数の処理手段が存在する場合に、ユーザは任意の画像処理を選択して実行させることができる。
（実施形態３）
【００３４】
（実施形態３：概要）本実施形態は、表示部に表示されている効果付画像の画像情報が選択された場合には選択された効果付画像情報をオリジナル画像情報として保持することを特徴とする画像編集装置について説明する。
【００３５】
（実施形態３：構成）本実施形態に係る画像編集装置の機能ブロック図を図１２に例示する。画像編集装置（１２００）は、「画像情報保持部」（１２０１）と、「処理手段保持部」（１２０２）と、「画像情報選択部」（１２０３）と、「制御部」（１２０４）と、「表示部」（１２０５）と、有する。また、処理手段保持部（１２０２）は、「処理手段」（１２０６ａ、１２０６ｂ、１２０６ｃ）を有する。また、制御部（１２０４）は、「第一制御手段」（１２０７）と、「第二制御手段」（１２０９）と、を有する。また、画像編集装置（１２００）は、さらに画像処理選択部を有していてもよい。「第二制御手段」（１２０９）以外の構成については前述した通りであるので説明を省略する。
【００３６】
「第二制御手段」（１２０９）は、画像情報選択部にて表示部に表示されている効果付画像の画像情報が選択された場合には選択された効果付画像情報をオリジナル画像情報として画像情報保持部に保持させるように制御する。すなわち、図１（ｂ）のように表示部にオリジナル画像とともに複数の効果付画像が表示されている場合に、ユーザが一つの効果付画像を選択すると、その選択された効果付画像の画像情報がオリジナル画像情報として保持される、ということである。ここで、「選択された効果付画像情報をオリジナル画像情報として画像情報保持部に保持させる」とは、ハードディスク等に記憶されているオリジナル画像の画像情報そのものを選択された効果付画像の画像情報に置き換える（上書き）場合と、元のオリジナル画像の画像情報は保持したまま、選択された効果付画像の画像情報をオリジナル画像情報として利用することを示す属性情報などを付するような場合とを含む意味である。
【００３７】
図１３は、第二制御手段による制御の具体例を示す。まず、（ａ）は図１（ｂ）に示したものと同様であり、ディスプレイ（１３００）にオリジナル画像（１３０１）と複数の効果付画像が同時に表示されている場面である。ここで、場面（ｂ）においては、ユーザがポインタ（１３０２）で効果付画像１３０３をダブルクリック等して選択したとする。すると、選択された効果付画像１３０３がオリジナル画像とされるので、場面（ｃ）に示すように選択された効果付画像がオリジナル画像１３０４として表示されることになる。
【００３８】
（実施形態３：ハードウェア上における処理）図１４は、本実施形態に係る画像編集装置のハードウェア上における処理の具体例を示す。なお、オリジナル画像と効果付画像が同時に表示部に表示されるまでの処理は図７で説明した通りであり、メインメモリにはオリジナル画像情報（ＯＲＧ画像情報１）と画像処理プログラムによって生成された効果付画像情報（１４０１）が格納されている。それ以降の処理について、以下、説明する。オリジナル画像とともに表示されている効果付画像のうちの一つが選択され、キーボードやマウス等のユーザインタフェースを介してユーザによる選択信号が取得され、これによりハードディスク（１４０２）に保持されているＯＲＧ画像情報１（１４０３）が、選択された効果付画像情報（ここでは、‘効果付画像情報１’）（１４０４）と置き換わる。これによりＶＲＡＭでは新たな描画データ（１４０５）が生成され、ディスプレイにおいて選択された効果付画像をオリジナル画像とした表示がなされる（１４０６）。
【００３９】
（実施形態３：処理の流れ）図１５は、本実施形態に係る画像編集装置における処理の流れを示すフロー図を例示する。
【００４０】
最初に、ユーザからの入力に応じてオリジナル画像情報が選択される（Ｓ１５０１）。次に、ステップＳ１５０１における選択動作に連動して選択されたオリジナル画像情報を効果付画像情報とするための画像処理を実行する（Ｓ１５０２）。表示すべき全ての効果付画像情報を生成したか判断し（Ｓ１５０３）、全て生成していない場合にはステップＳ１５０２に戻る。全て生成した場合にはオリジナル画像と効果付画像を同時に表示部に表示する（Ｓ１５０４）。表示された効果付画像の画像情報が選択されると（Ｓ１５０５）、選択された効果付画像情報をオリジナル画像情報として保持する処理が実行される（Ｓ１５０６）。処理を終了するか判断し（Ｓ１５０７）、終了しない場合にはステップＳ１５０４に戻り、選択された効果付画像をオリジナル画像として効果付画像とともに表示する。
【００４１】
（実施形態３：効果）本実施形態に係る画像編集装置によれば、ユーザが選択した効果付画像をオリジナル画像として表示すること等が可能であるので、例えばオリジナル画像が効果付画像よりも大きく表示される場合には、ユーザは選択した効果付画像を大きく表示させて視認することが可能となる。
（実施形態４）
【００４２】
（実施形態４：概要）本実施形態は、表示部は、選択されたオリジナル画像情報に基づく画像を比較的大きく、効果付画像情報に基づく画像をオリジナル画像の周辺に配置して比較的小さく表示するとのレイアウト情報に基づいてレイアウトを行うことを特徴とする画像編集装置について説明する。
【００４３】
（実施形態４：構成）本実施形態に係る画像編集装置の機能ブロック図を図１６に例示する。画像編集装置（１６００）は、「画像情報保持部」（１６０１）と、「処理手段保持部」（１６０２）と、「画像情報選択部」（１６０３）と、「制御部」（１６０４）と、「表示部」（１６０５）と、有する。また、処理手段保持部（１６０２）は、「処理手段」（１６０６ａ、１６０６ｂ、１６０６ｃ）を有する。また、制御部（１６０４）は、「第一制御手段」（１６０７）を有する。また、表示部（１６０５）は、「レイアウト手段」（１６１０）を有する。また、画像編集装置（１６００）は、さらに画像処理選択部を有していてもよい。また、制御部（１６０４）は、さらに第二制御手段を有していてもよい。「レイアウト手段」（１６１０）以外の構成については前述した通りであるので説明を省略する。
【００４４】
「レイアウト手段」（１６１０）は、選択されたオリジナル画像情報に基づく画像を比較的大きく、効果付画像情報に基づく画像をオリジナル画像の周辺に配置して比較的小さく表示するとのレイアウト情報に基づいてレイアウトをする。「選択されたオリジナル画像情報に基づく画像を比較的大きく、効果付画像情報に基づく画像をオリジナル画像の周辺に配置して比較的小さく表示する」とは、図１（ｂ）に例示するような表示を意味する。すなわち、同時に表示される効果付画像よりもオリジナル画像のほうが大きく表示される場合が該当し、具体的には図１８に示すような、レイアウト１８０４、１８０５、１８０６、１８０７などがその一例である。また、「効果付画像情報に基づく画像をオリジナル画像の周辺に配置して」とは、レイアウト１８０４、１８０５、１８０６のように表示すべき効果付画像をすべてオリジナル画像の周辺に表示する場合もあるが、例えばレイアウト１８０７のように、ユーザが矢印ボタン１８０２、１８０３をクリックすることにより表示すべき複数の効果付画像を順番に表示したり、スライドショー形式で所定時間経過ごとに自動的に順次、効果付画像を切り換えて表示するような場合も含まれる意味である。また、「レイアウト情報」は表示部における表示方法によって異なるが、例えば、ＨＴＭＬ（ＨｙｐｅｒＴｅｘｔ  Ｍａｒｋｕｐ  Ｌａｎｇｕａｇｅ）、ＸＭＬ（ｅＸｔｅｎｓｉｂｌｅ  Ｍａｒｋｕｐ  Ｌａｎｇｕａｇｅ）、ＣＨＴＭＬ（Ｃｏｍｐａｃｔ  ＨＴＭＬ）、等により記述されている場合等が想定される。また、レイアウト情報はハードディスクや半導体メモリ等の記憶装置に保持されていることが想定される。
【００４５】
（実施形態４：ハードウェア上における処理）本実施形態に係る画像編集装置のハードウェア上における処理は、図７や図１４にて説明した処理と同様である。ただし、ＶＲＡＭにて描画データを生成する際に、ハードディスクや半導体メモリ等の記憶装置に記憶されているレイアウト情報を読み出してレイアウト情報に基づいて描画データを生成する。
【００４６】
（実施形態４：処理の流れ）本実施形態に係る画像編集装置における処理は、前述した実施形態における処理の流れと同様である。ただし、オリジナル画像と効果付画像を同時に表示部に表示する際に、レイアウト情報に基づいたレイアウトにて表示する。
【００４７】
（実施形態４：効果）本実施形態に係る画像編集装置によれば、オリジナル画像を効果付画像よりも大きく表示するため、いずれの画像がオリジナル画像であるかが一目で分かる。また、効果付画像をオリジナル画像の周辺に配置して表示するため、オリジナル画像と効果付画像を比較しながら確認することができる。
（実施形態５）
【００４８】
（実施形態５：概要）本実施形態は、表示部は、レイアウト情報をユーザ入力に応じて変更することが可能な画像編集装置について説明する。
【００４９】
（実施形態５：構成）本実施形態に係る画像編集装置の機能ブロック図を図１７に例示する。画像編集装置（１７００）は、「画像情報保持部」（１７０１）と、「処理手段保持部」（１７０２）と、「画像情報選択部」（１７０３）と、「制御部」（１７０４）と、「表示部」（１７０５）と、有する。また、処理手段保持部（１７０２）は、「処理手段」（１７０６ａ、１７０６ｂ、１７０６ｃ）を有する。また、制御部（１７０４）は、「第一制御手段」（１７０７）を有する。また、表示部（１７０５）は、「レイアウト手段」（１７１０）と、「レイアウト変更手段」（１７１１）と、を有する。また、画像編集装置（１７００）は、さらに画像処理選択部を有していてもよい。また、制御部（１７０４）は、さらに第二制御手段を有していてもよい。「レイアウト変更手段」（１７１１）以外の構成については前述した通りであるので説明を省略する。
【００５０】
「レイアウト変更手段」（１７１１）は、レイアウト情報をユーザ入力に応じて変更するための機能を有する。レイアウト変更手段は、例えば図１８に示すように、ユーザに対してレイアウトを変更するための画面（１８００）を提供する場合が考えられる。図１８においては、４種類の表示レイアウトが表示されており、ユーザはラジオボタン（１８０１）をクリック等することによって所望のレイアウトを選択することができる。レイアウト１８０４は図１（ｂ）に例示したレイアウトと同様である。レイアウト１８０５はレイアウト１８０４を左右反転させたレイアウトである。レイアウト１８０６は効果付画像を３つのみ表示する場合である。レイアウト１８０７はユーザが矢印ボタン１８０２、１８０３をクリック等することにより、複数の効果付画像が順番に表示される場合である。このような変更画面において、ユーザがラジオボタン（１８０１）でレイアウトを選択し、決定ボタン（１８０８）をクリック等すると、ハードディスクや半導体メモリ等の記憶装置に記憶されているレイアウト情報が選択されたレイアウトのレイアウト情報に変更されることになる。また、図１８のようにあらかじめ決められたレイアウトが表示されるのではなく、ユーザがオリジナル画像や効果付画像の位置や表示数などを決定することによって任意のレイアウトを作成するためのレイアウト作成用のソフトウェアが用意されていてもよい。
【００５１】
（実施形態５：ハードウェア上における処理）本実施形態に係る画像編集装置のハードウェア上における処理は、図７や図１４にて説明した処理と同様である。ただし、図１８などの変更画面を介して取得されたユーザの入力に応じて、記憶装置に記憶されているレイアウト情報が変更される。
【００５２】
（実施形態５：処理の流れ）図２０は、本実施形態に係る画像編集装置における処理の流れを示すフロー図を例示する。
【００５３】
最初に、ユーザ入力に応じてレイアウト情報を変更する（Ｓ２００５）。次に、ユーザからの入力に応じてオリジナル画像情報が選択される（Ｓ２００１）。次に、ステップＳ２００１における選択動作に連動して選択されたオリジナル画像情報を効果付画像情報とするための画像処理を実行する（Ｓ２００２）。表示すべき全ての効果付画像情報を生成したか判断し（Ｓ２００３）、全て生成していない場合にはステップＳ２００２に戻る。全て生成した場合にはオリジナル画像と効果付画像を同時に表示部に表示する（Ｓ２００４）。なお、ステップＳ２００５の処理は、ステップＳ２００４における処理の直前で行われる場合などもあり得る。
【００５４】
（実施形態５：効果）本実施形態に係る画像編集装置によれば、オリジナル画像と効果付画像を同時に表示部に表示する際のレイアウトを、ユーザの所望のレイアウトに変更することが可能である。
（実施形態６）
【００５５】
（実施形態６：概要）本実施形態は、画像編集装置に新たな処理手段を追加するための機能を有する画像編集装置について説明する。
【００５６】
（実施形態６：構成）本実施形態に係る画像編集装置の機能ブロック図を図２２に例示する。画像編集装置（２２００）は、「画像情報保持部」（２２０１）と、「処理手段保持部」（２２０２）と、「画像情報選択部」（２２０３）と、「制御部」（２２０４）と、「表示部」（２２０５）と、「処理手段追加部」（２２１２）と、を有する。また、処理手段保持部（２２０２）は、「処理手段」（２２０６ａ、２２０６ｂ、２２０６ｃ）を有する。また、制御部（２２０４）は、「第一制御手段」（２２０７）を有する。「処理手段追加部」（２２１２）以外の構成については前述した通りであるので説明を省略する。
【００５７】
「処理手段追加部」（２２１２）は、処理手段保持部に新たな処理手段を追加するための機能を有する。すなわち、処理手段追加部の機能によって画像編集装置は新たな画像処理方法にて効果付画像情報を生成することができる。また、処理手段追加部の機能は、具体的には、例えば新たな画像処理プログラムを画像編集装置にインストールする機能などが該当する。これにより、画像編集装置に対してバージョンアップなどのサービスを提供することもできる。処理手段の追加方法は様々な方法が考えられるが、例えば、通信インタフェース等を介して新たな画像処理プログラムをインストールするためのアップデート用プログラムをサーバから受信してアップデート用プログラムを実行する場合や、アップデート用プログラムが記録されたＣＤ−ＲＯＭ等の記録メディアからアップデート用プログラムを読み込んで実行する場合などが考えられる。
【００５８】
（実施形態６：ハードウェア上における処理）図２３は、本実施形態に係る画像編集装置において、処理手段追加部によって処理手段（画像処理プログラム）が追加される場合のハードウェア上における処理の具体例を示す。まず、ハードディスクや半導体メモリ等の記憶装置（２３０１）には、各種の画像処理プログラム（色反転処理Ｐ、強調処理Ｐ、明度変更Ｐ、等）がすでに保持されている。ここで、例えば通信インタフェース等を介して新たな処理手段（画像処理プログラム）を画像編集装置にインストールするためのアップデート用プログラム（アップデート用Ｐ）が受信される。受信されたアップデート用プログラムはメインメモリに展開されて実行されることにより、ハードディスクや半導体メモリ等の記憶装置（２３０１）に新たな画像処理プログラム（新規処理Ｐ）（２３０３）が保持される。
【００５９】
（実施形態６：処理の流れ）本実施形態に係る画像編集装置における処理は、前述した実施形態における処理の流れと同様である。ただし、これらの処理以外に別途、処理手段を追加するための処理を実行することが特徴である。
【００６０】
（実施形態６：効果）本実施形態に係る画像編集装置によれば、バージョンアップなどによって新たな処理手段を画像編集装置に備えることが可能である。
（実施形態７）
【００６１】
（実施形態７：概要）本実施形態は、各処理手段に優先度を関連付けて保持し、表示部に表示すべき効果付画像情報に基づく画像を選択する際に前記優先度に応じて選択することを特徴とする画像編集装置について説明する。
【００６２】
（実施形態７：構成）本実施形態に係る画像編集装置の機能ブロック図を図２４に例示する。画像編集装置（２４００）は、「画像情報保持部」（２４０１）と、「処理手段保持部」（２４０２）と、「画像情報選択部」（２４０３）と、「制御部」（２４０４）と、「表示部」（２４０５）と、「画像処理選択部」（２４０８）と、を有する。また、処理手段保持部（２４０２）は、「処理手段」（２４０６ａ、２４０６ｂ、２４０６ｃ）と、「優先度付保持手段」（２４１３）と、を有する。また、制御部（２４０４）は、「第一制御手段」（２４０７）を有する。また、画像処理選択部（２４０８）は、「優先選択手段」（２４１４）を有する。「優先度付保持手段」（２４１３）と「優先選択手段」（２４１４）以外の構成については前述した通りであるので説明を省略する。
【００６３】
「優先度付保持手段」（２４１３）は、各処理手段に優先度を関連付けて保持する。「優先度」は、例えば、後述する優先選択手段（２４１４）において表示すべき効果付画像を選択する際に利用される。また、表示部（２４０５）において効果付画像を表示する際の配置や順番などを優先度に応じて決定するようになっていてもよい。例えば、優先度の高い処理手段によって処理された効果付画像を見やすい位置に配置するようになっていたり、図１８のレイアウト１８０７のようにユーザが矢印ボタン１８０２、１８０３をクリックすることにより効果付画像を順番に表示したりスライドショー形式で効果付画像を切り換えて表示するような場合において、優先度の高い順番に表示するようになっていてもよい。ただし、「優先度」の利用方法はこれら以外の利用方法であってもよい。
【００６４】
また、優先度付保持手段は各処理手段に優先度を関連付けて保持するために、図２５のような情報をハードディスクや半導体メモリ等の記憶装置に保持していることが想定される。図２５の情報において、「ＩＤ」は各レコードに自動的に付与されるシリアル番号であり、「処理名」は存在する処理手段において実行する処理を表す処理名称であり、「処理プログラム」は各処理手段において画像処理の際に実行する処理プログラムである。これらは、図１１にて説明したものと同様である。図２５では、さらに各処理に対して「優先度」が関連付けられていることが特徴である。「優先度」は各処理の優先度を示すものであり、１以上の整数により優先度が示されている。例えば、図２５においては「強調処理」の優先度が‘１’であり一番優先度が高いことを示す。続いて、「アウトライン化」、「色反転処理」、「明度変更」、「ソフトフォーカス処理」、「輝度変更」の順に優先度が付与されている。また、優先度は適宜ユーザが変更できるようになっていると便利である。加工する画像などによっても優先すべき処理手段が異なる場合があるからである。さらに、ユーザごとに優先度が設定できるようになっていてもよい。ユーザによって優先したい処理手段が異なる場合もあるからである。
【００６５】
「優先選択手段」（２４１４）は、表示すべき効果付画像情報に基づく画像を前記優先度に応じて選択する。「前記優先度」とは、優先度付保持手段（２４１３）にて各処理手段に関連付けられている優先度を指す。「表示すべき効果付画像情報に基づく画像を前記優先度に応じて選択する」とは、優先度を利用して表示すべき効果付画像を選択することであり、例えば１０の処理手段が存在するが表示部に表示可能な効果付画像は５つのみである場合には、優先度の高い順に５つを選択する場合などが該当する。
【００６６】
（実施形態７：ハードウェア上における処理）本実施形態に係る画像編集装置のハードウェア上における処理は、図７、図１４、図２３にて説明した処理と同様である。ただし、図２５のような情報をハードディスクや半導体メモリ等の記憶装置に記憶しており、メインメモリに格納されたオリジナル画像情報に対して画像処理を実行する際には、記憶装置に記憶されている図２５の情報を参照し、「優先度」の値の高い画像処理の処理プログラムをメインメモリに展開して実行し、各種の効果付画像情報を生成する。以後の処理については、図７などにて説明した通りである。
【００６７】
（実施形態７：処理の流れ）本実施形態に係る画像編集装置における処理は、図１９、図２１にて説明した処理の流れと同様である。ただし、表示すべき効果付画像情報を選択する際に各処理手段に関連付けられている優先度に応じて選択することが特徴である。
【００６８】
（実施形態７：効果）本実施形態に係る画像編集装置によれば、処理手段が複数存在する場合に各処理手段に優先度を関連付けておくことで、自動的に優先度に応じて効果付画像が表示される。
（実施形態８）
【００６９】
（実施形態８：概要）本実施形態は、表示部は効果付画像の配置を前記優先度に応じて決定することを特徴とする画像編集装置について説明する。
【００７０】
（実施形態８：構成）本実施形態に係る画像編集装置の機能ブロック図を図２６に例示する。画像編集装置（２６００）は、「画像情報保持部」（２６０１）と、「処理手段保持部」（２６０２）と、「画像情報選択部」（２６０３）と、「制御部」（２６０４）と、「表示部」（２６０５）と、「画像処理選択部」（２６０８）と、を有する。また、処理手段保持部（２６０２）は、「処理手段」（２６０６ａ、２６０６ｂ、２６０６ｃ）と、「優先度付保持手段」（２６１３）と、を有する。また、制御部（２６０４）は、「第一制御手段」（２６０７）を有する。また、画像処理選択部（２６０８）は、「優先選択手段」（２６１４）を有する。表示部（２６０５）は、「優先レイアウト手段」（２６１５）を有する。「優先レイアウト手段」（２６１５）以外の構成については前述した通りであるので説明を省略する。
【００７１】
「優先レイアウト手段」（２６１５）は、効果付画像情報に基づく画像の配置を前記優先度に応じて決定する。「前記優先度」とは、優先度付保持手段（２６１３）にて各処理手段に関連付けられている優先度を指す。「画像の配置を前記優先度に応じて決定する」とは、優先度を利用して画像の配置を決定することであるが、あらかじめ優先度に応じて効果付画像を配置すべき位置などが設定されていることが想定される。図２７は優先度に応じて効果付画像情報を配置する場合の一例を示したものである。図２７においては、表示部（２７０１）にてオリジナル画像（２７０２）の周辺に５つの効果付画像（２７０３、２７０４、２７０５、２７０６、２７０７）を配置する場合を例示している。例えば、優先度の高い順に矢印２７０８で示すような順番（左下から右上）で効果付画像を配置するようにあらかじめ設定されているとし、優先度付保持手段（２６１３）では図２５に例示したような情報を保持しているとする。優先度の一番高い処理は図２５によれば「強調処理」であるので、画像２７０３として強調処理がなされた効果付画像が配置される。二番目に優先度が高い処理は「アウトライン化」であるので、画像２７０４としてアウトライン化がなされた効果付画像が配置される。以下同様に、画像２７０５、２７０６、２７０７として、「色反転処理」、「明度変更」、「ソフトフォーカス処理」の処理がなされた効果付画像が配置される。また、例えば図１８のレイアウト１８０７のようにユーザが矢印ボタン１８０２、１８０３をクリックすることにより効果付画像を順番に表示したりスライドショー形式で効果付画像を切り換えて表示するような場合において、優先度の高い順番に表示するようになっていてもよい。また、優先度に応じた配置の設定は適宜ユーザが変更できるようになっていると便利である。表示する効果付画像によっても優先すべき画像配置が異なる場合があるからである。さらに、ユーザごとに配置を設定できるようになっていてもよい。ユーザによって優先したい画像の配置が異なる場合もあるからである。
【００７２】
（実施形態８：ハードウェア上における処理）本実施形態に係る画像編集装置のハードウェア上における処理は、図７、図１４、図２３にて説明した処理と同様である。ただし、図２５のような情報をハードディスクや半導体メモリ等の記憶装置に記憶しており、メインメモリに格納されたオリジナル画像情報に対して画像処理を実行する際には、記憶装置に記憶されている図２５の情報を参照し、「優先度」の値の高い画像処理の処理プログラムをメインメモリに展開して実行し、各種の効果付画像情報を生成する。さらに、図２５の情報における「優先度」に応じて描画データが生成されディスプレイにて表示されることを特徴とする。
【００７３】
（実施形態８：処理の流れ）本実施形態に係る画像編集装置における処理は、図１９、図２１にて説明した処理の流れと同様である。ただし、オリジナル画像と効果付画像を同時に表示部に表示する際に、各処理手段に関連付けられている優先度に応じて画像の配置が決定されて表示される。
【００７４】
（実施形態８：効果）本実施形態に係る画像編集装置によれば、効果付画像が表示される際には各処理手段に関連付けられた優先度に応じて配置されて表示されるので、ユーザにとってより重要な効果付画像を見やすい位置に表示したり、スライドショー形式などで表示する際に優先的に表示したりすることができる。
【図面の簡単な説明】
【００７５】
【図１】本発明に係る画像編集装置の概要図
【図２】実施形態１に係る画像編集装置の機能ブロック図
【図３】画像情報保持部が保持する情報の一例図
【図４】処理手段保持部の具体例
【図５】画像情報選択部の具体例
【図６】制御部における制御について説明する図
【図７】実施形態１に係る画像編集装置のハードウェア上における処理の一例図
【図８】実施形態１に係る画像編集装置の処理の流れを示すフロー図
【図９】実施形態２に係る画像編集装置の機能ブロック図
【図１０】画像処理選択部の具体例
【図１１】画像処理選択部が保持する情報の一例図
【図１２】実施形態３に係る画像編集装置の機能ブロック図
【図１３】第二制御手段における制御について説明する図
【図１４】実施形態３に係る画像編集装置のハードウェア上における処理の一例図
【図１５】実施形態３に係る画像編集装置の処理の流れを示すフロー図
【図１６】実施形態４に係る画像編集装置の機能ブロック図
【図１７】実施形態５に係る画像編集装置の機能ブロック図
【図１８】レイアウト変更手段の具体例
【図１９】実施形態２に係る画像編集装置の処理の流れを示すフロー図
【図２０】実施形態５に係る画像編集装置の処理の流れを示すフロー図
【図２１】実施形態２に係る画像編集装置の処理の流れを示すフロー図
【図２２】実施形態６に係る画像編集装置の機能ブロック図
【図２３】実施形態６に係る画像編集装置のハードウェア上における処理の一例図
【図２４】実施形態７に係る画像編集装置の機能ブロック図
【図２５】優先度付保持手段が保持する情報の一例図
【図２６】実施形態８に係る画像編集装置の機能ブロック図
【図２７】優先レイアウト手段による表示方法の具体例
【符号の説明】
【００７６】
０１０１    表示部
０１０２ａ  オリジナル画像
０１０２ｂ  オリジナル画像
０１０２ｃ  オリジナル画像
０１０３    効果付画像
０１０４    効果付画像
０１０５    効果付画像
０１０６    効果付画像
０１０７    効果付画像
【図１】
2008288672.tif 000003
【図２】
2008288672.tif 000004
【図３】
2008288672.tif 000005
【図４】
2008288672.tif 000006
【図５】
2008288672.tif 000007
【図６】
2008288672.tif 000008
【図７】
2008288672.tif 000009
【図８】
2008288672.tif 000010
【図９】
2008288672.tif 000011
【図１０】
2008288672.tif 000012
【図１１】
2008288672.tif 000013
【図１２】
2008288672.tif 000014
【図１３】
2008288672.tif 000015
【図１４】
2008288672.tif 000016
【図１５】
2008288672.tif 000017
【図１６】
2008288672.tif 000018
【図１７】
2008288672.tif 000019
【図１８】
2008288672.tif 000020
【図１９】
2008288672.tif 000021
【図２０】
2008288672.tif 000022
【図２１】
2008288672.tif 000023
【図２２】
2008288672.tif 000024
【図２３】
2008288672.tif 000025
【図２４】
2008288672.tif 000026
【図２５】
2008288672.tif 000027
【図２６】
2008288672.tif 000028
【図２７】
2008288672.tif 000029